(57)【要約】無線通信ネットワーク内でＰ２Ｐ（ピアツーピア）通信を確立する方法であって、２つのユーザ機器（発呼者と被呼者）が同じセルにあるか否かを判定し、発呼者と被呼者の登録情報および位置情報に従って、２つのＵＥ間の距離がＰ２Ｐ通信の要件を満たすか否かを計算するステップと、２つのＵＥが同じセルにあり、２つのＵＥ間の距離がＰ２Ｐ通信の要件を満たす場合、２つのＵＥの両方がＰ２Ｐ通信能力を有するか否かを示す無線通信システムの情報に従って、２つのＵＥがともにＰ２Ｐ通信能力を有するか否かを判定するステップと、２つのＵＥがともにＰ２Ｐ通信能力を有する場合、２つのＵＥがＰ２Ｐ通信を開始するための直接通信リンクを割り当てるステップと、を備える方法。
2006523404.tif 000002
【特許請求の範囲】
【請求項１】
無線通信システムがＰ２Ｐ（ピアツーピア）通信を確立する方法であって、
２つのユーザ機器（発呼者と被呼者）が同じセル内にいるか否かを、発呼者と被呼者の登録情報および位置情報に従って、判定して、２つのユーザ機器（ＵＥ）間の距離がＰ２Ｐ通信の要件を満たすか否かを計算すること、
前記２つのＵＥが同じセルにあり、２つのＵＥ間の距離がＰ２Ｐ通信の要件を満たす場合、前記発呼者と前記被呼者の両方がＰ２Ｐ通信能力を有するか否かを示す無線通信システムの情報に従って、前記２つのＵＥがともにＰ２Ｐ通信能力を有するか否かを判定すること、
発呼者と被呼者の両方がＰ２Ｐ通信能力を有する場合、前記２つのＵＥがＰ２Ｐ通信を行なうための直接通信リンクを割り当てること
を備える方法。
【請求項２】
前記発呼者の位置情報は、前記発呼者から無線通信システムに送信される呼要求に含まれる請求項１に記載のＰ２Ｐ通信を確立する方法。
【請求項３】
前記被呼者の位置情報は、前記被呼者から無線通信システムに送信される呼応答に含まれる請求項１または２の何れかに記載のＰ２Ｐ通信を確立する方法。
【請求項４】
無線通信システムが、前記発呼者および前記被呼者がＰ２Ｐ通信能力を有するか否かを示す情報を有していない場合に、
前記ＵＥがＰ２Ｐ通信能力を有するか否かを問い合わせるために前記発呼者または前記被呼者にポーリング・メッセージを送信すること、をさらに備える請求項１、２または３の何れかに記載のＰ２Ｐ通信を確立する方法。
【請求項５】
２つのＵＥが同じセルにないか、２つのＵＥ間の距離がＰ２Ｐ通信の範囲要件を満たさないか、２つのＵＥのうち１つがＰ２Ｐ通信能力を有していない場合に、
前記２つのＵＥに従来の方式で通信するように指示する命令を送信すること、をさらに備える請求項１、２、３または４の何れかに記載のＰ２Ｐ通信を確立する方法。
【請求項６】
無線通信システムが、ＵＥの登録情報と位置情報、および、前記ＵＥのＰ２Ｐ通信能力についての無線通信システムの情報に従って直接通信リンクを割り当てた後に、割り当てられた前記直接通信リンクを介して直接通信することを備える、ユーザ機器がＰ２Ｐ通信を確立する方法。
【請求項７】
前記ＵＥの位置情報は、当該ＵＥから無線通信システムに送信される呼要求に含まれる請求項６に記載のＰ２Ｐ通信を確立する方法。
【請求項８】
前記ＵＥの位置情報は、当該ＵＥから前記無線通信システムに送信される呼応答に含まれる請求項６または７の何れかに記載のＰ２Ｐ通信を確立する方法。
【請求項９】
前記ＵＥがＰ２Ｐ通信能力を有するか否かを問い合わせるポーリング・メッセージを前記無線通信システムから受信した場合に、前記ＵＥ中のキースイッチを制御すること、または前記ＵＥで設定されたメニュー選択肢を選択することにより、前記ＵＥがＰ２Ｐ通信能力を有するか否かを示すメッセージを前記無線通信システムに送信することをさらに備える、請求項６、７、または８の何れかに記載のＰ２Ｐ通信を確立する方法。
【請求項１０】
無線通信システムがＰ２Ｐ通信を確立するための装置であって、
２つのＵＥ（発呼者と被呼者）が同じセルにあるか否かを、発呼者と被呼者の登録情報と位置情報に従って、判定し、前記２つのＵＥ間の距離がＰ２Ｐ通信の範囲要件を満たすか否かを計算する計算ユニットと、
前記２つのＵＥが同じセルにあり、前記２つのＵＥの間の距離がＰ２Ｐ通信の要件を満たす場合に、前記発呼者と前記被呼者がともにＰ２Ｐ通信能力を有するか否かを示す前記無線通信システムの情報に従って前記２つのＵＥがともにＰ２Ｐ通信能力を有するか否かを判定する判定ユニットと、
前記発呼者と前記被呼者がともにＰ２Ｐ通信能力を有する場合に、前記２つのＵＥがＰ２Ｐ通信を開始するための直接通信リンクを割り当てる割り当てユニットと
を備える装置。
【請求項１１】
前記発呼者から前記無線通信システムに送信される呼要求が前記発呼者の位置情報を含む場合に、前記呼要求を受信し、その呼要求に応答する呼要求応答ユニットをさらに備える請求項１０に記載のＰ２Ｐ通信を確立する装置。
【請求項１２】
前記被呼者から前記無線通信システムに送信される呼応答が前記被呼者の位置情報を含む場合に、前記呼応答を受信し、その呼応答に応答するページング応答受信ユニットをさらに備える、請求項１０または１１の何れかに記載のＰ２Ｐ通信を確立する装置。
【請求項１３】
前記発呼者と前記被呼者がＰ２Ｐ通信能力を有するか否かを示す情報を無線通信システムが有していない場合に、前記ＵＥがＰ２Ｐ通信能力を有するか否かを問い合わせるポーリング・メッセージを前記発呼者または前記被呼者に送信するポーリング・メッセージ送信ユニットをさらに備える、請求項１０、１１または１２の何れかに記載のＰ２Ｐ通信を確立する装置。
【請求項１４】
前記２つのＵＥが同じセルにないか、前記２つのＵＥ間の距離がＰ２Ｐ通信の範囲要件を満たさないか、前記２つのＵＥの１つがＰ２Ｐ通信能力を有していない場合に、前記２つのＵＥに従来の方式で通信するように指示する命令を送信する命令送信ユニットをさらに備える、請求項１０、１１、１２または１３の何れかに記載のＰ２Ｐ通信を確立する装置。
【請求項１５】
無線信号を受信または送信するＲＦユニットと、
前記ＲＦユニットによって受信される無線信号、および、前記ＲＦユニットによって送信される信号を処理するデータ処理ユニットと、
無線通信システムが、ＵＥの登録情報と位置情報、およびＵＥのＰ２Ｐ通信能力についての無線通信システムの情報に従ってＵＥに直接通信リンクを割り当てた後に、割り当てられた直接通信リンクを介して直接通信するように前記ＲＦユニットと前記データ処理ユニットを制御するベースバンド処理ユニットと
を備えるユーザ機器。
【請求項１６】
前記ユーザ機器が発呼者として動作する場合、前記ＵＥの位置情報を含む呼要求を無線通信システムに送信する発呼ユニットをさらに備える請求項１５に記載のユーザ機器。
【請求項１７】
前記ＵＥが被呼者として動作する場合、前記ＵＥの位置情報を含む呼応答を無線通信システムに送信する応答ユニットをさらに備える、請求項１５または１６の何れかに記載のユーザ機器。
【請求項１８】
前記ＵＥがＰ２Ｐ通信能力を有するか否かを問い合わせるポーリング・メッセージを無線通信システムから受信すると、前記ＵＥがＰ２Ｐ通信能力を有するか否かを示すメッセージを送信するポーリング・メッセージ応答ユニットをさらに備える請求項１５、１６または１７の何れかに記載のユーザ機器。
【請求項１９】
前記ユーザ機器は、前記ＵＥがＰ２Ｐ通信能力を有するか否かを表すキーストロークを含む請求項１５から１８の何れかに記載のユーザ機器。
【発明の詳細な説明】
【技術分野】
【０００１】
本発明は、一般には、無線通信ネットワーク内でピアツーピア通信を確立する方法および装置に関し、より詳細には、ＴＤＤ・ＣＤＭＡ無線通信ネットワーク内でＰ２Ｐ通信を確立する方法および装置に関する。
【背景技術】
【０００２】
従来のセルラ通信システムにおいては、通信している２つのユーザ機器（ＵＥ―User Equipments―）間の距離に関係なく、１つのＵＥは、基地局による中継を通じてしか別のＵＥと通信することができない。図１に示す従来の通信モードでは、ＵＥ１とＵＥ２が、基地局トランシーバ（すなわちノードＢ）とＲＮＣ（Radio Network Controller―無線ネットワーク・コントローラ）から構成されるＵＴＲＡＮ（Universal mobile telecommunications system Terrestrial Radio Access Network―ユニバーサル移動遠隔通信システム地上波無線アクセスネットワーク）を通じて相互に通信しており、この通信モードは、ＵＰ−ＵＴＲＡＮ−ＤＯＷＮ方式とも呼ばれる。しかしながら、２つのＵＥが同一のセル内で非常に近くにあるいくつかの状況では、基地局により中継／転送されるよりもむしろ２つのＵＥ同士が直接通信する方がより理に適った方法である場合がある。この方法がいわゆるピアツーピア通信で、略称はＰ２Ｐである。
【０００３】
図２はＰ２Ｐ通信モードを示したもので、図中の点線はシグナリング・リンクを、実線はデータ・リンクを、矢印は情報の流れの方向を表す。ＵＴＲＡＮとＵＥの間にはシグナリング・リンクのみがあり、一方、通信する２つのＵＥの間にはデータ・リンクのみが存在する。ここで、基本的通信を維持するためのリソースだけが必要であると仮定する。直接リンクを無線リソース・ユニット（固定された周波数、タイムスロット、および拡散符号を有する）とみなすと、Ｐ２Ｐ通信モードは、基本的な通信を維持するために２つの無線リソース・ユニットのみを必要とすることが容易に推測することができる。追加的なシグナリングのオーバーヘッドを無視すると、Ｐ２Ｐ通信は、従来の通信モードに比べて、約５０％の無線リソースを節減することができる。その一方で、ＵＴＲＡＮは、なおＰ２Ｐ通信に対する制御、特に無線リソースの使用法に対する制御を保ち、ネットワーク事業者は、Ｐ２Ｐ通信に使用される無線リソースに対して容易に課金することができる。
【発明の開示】
【発明が解決しようとする課題】
【０００４】
上記のように、現在のシステムにＰ２Ｐ通信を応用することが必要とされる。しかし、コストと他の多くの要素を考慮すると、実施の際に既存のシステムに著しい変更を加えることは望ましくなく、大半の既存のモジュールを再使用する方がよい。この観点からすると、ＴＤＤモードは追加的なＲＦトランシーバなしでＰ２Ｐ通信を実行することができ、必要とされる変更はすべて上位層のプロトコルに関連するものであり、一方、物理層の構造はなお再使用されることができるので、Ｐ２Ｐ通信が、現在の３Ｇモバイル通信システムでＴＤＤ・ＣＤＭＡシステムに最も応用可能である。したがって、既存の通信システムは、ハードウェアへの変更を加えることなく、ソフトウェアのアップグレードを通じてＰ２Ｐ方式を容易にサポートすることができる。
【課題を解決するための手段】
【０００５】
したがって、本発明の目的は、無線通信ネットワークでＰ２Ｐ通信を確立する方法および装置を提供することである。この方法および装置は、非常に近くにある２つのＵＥ間のＰ２Ｐ通信を可能にし、それにより、従来の通信モードに比べて無線リソースを大幅に節減することができる。さらに、この方法を実施するには上位層のプロトコル・ソフトウェア・モジュールのみが変更されればよく、既存の通信システムのハードウェア・モジュールを完全に再使用する。
【０００６】
上記の目的を達成するために、無線通信システム内でＰ２Ｐ通信を確立する方法および装置が本発明で提供され、この方法は、
２つのＵＥ（発呼者と被呼者）が同じセル内にあるか否かを、発呼者と被呼者の登録情報および位置情報に従って判定し、２つのＵＥ間の距離がＰ２Ｐ通信の要件を満たすか否かを計算することと、
２つのＵＥが同じセルにあり、２つのＵＥ間の距離がＰ２Ｐ通信の要件を満たす場合、非発呼者と被呼者の両方がＰ２Ｐ通信能力を有するか否かを示す、無線通信システムによって提供される情報に従って、２つのＵＥがともにＰ２Ｐ通信能力を有するか否かを判定することと、
発呼者と被呼者の両方がＰ２Ｐ通信能力を有する場合、２つのＵＥがＰ２Ｐ通信を行なうための直接通信リンクを割り当てることとを備える。
【０００７】
本発明は、発呼者の位置情報が、発呼者から無線通信システムに送信される呼要求に含まれ、被呼者の位置情報が、被呼者から無線通信システムに送信される呼応答に含まれる無線通信ネットワークでＰ２Ｐ通信を確立する方法を提案するものである。
【０００８】
上記の目的を達成するために、本発明は、ＵＥがＵＥにおけるＰ２Ｐ通信を確立する方法であって、この方法は、
無線通信システムが、ＵＥの登録情報と位置情報、および、ＵＥがＰ２Ｐ通信能力を有するか否かについての無線通信システムが有する情報に従って、ＵＥに直接通信リンクを割り当てた後に、割り当てられた直接通信リンクを介して直接通信することを備える。
【０００９】
本発明は、ＵＥから無線通信システムに送信される呼要求、またはＵＥから無線通信システムに送信される呼応答にＵＥの位置情報が含まれることができる、ＵＥがＰ２Ｐ通信を確立する方法を提案するものである。
【００１０】
この目的を達成するために、本発明は、無線通信システムがＰ２Ｐ通信を確立するための装置を提案し、この装置は、発呼者と被呼者の登録情報と位置情報に従って、２つのＵＥ（発呼者と被呼者）が同じセルにあるか否かを判定し、２つのＵＥ間の距離がＰ２Ｐ通信の範囲要件を満たすか否かを計算する計算ユニットと、２つのＵＥが同じセルにあり、２つのＵＥの間の距離がＰ２Ｐ通信の要件を満たす場合、発呼者と被呼者の両方がＰ２Ｐ通信能力を有するか否かを示す、無線通信システムの情報に従って、２つのＵＥがともにＰ２Ｐ通信能力を有するか否かを判定する判定ユニットと、発呼者と被呼者の両方がＰ２Ｐ通信能力を有する場合に、２つのＵＥがＰ２Ｐ通信を開始するための直接通信リンクを割り当てる割り当てユニットとを備える。
【００１１】
本発明で提案される、無線通信システムがＰ２Ｐ通信を確立するための装置はさらに、発呼者から無線通信システムに送信される呼要求が発呼者の位置情報を含む場合、呼要求を受信し、その呼要求に応答する呼要求応答ユニットと、被呼者から無線通信システムに送信される呼応答が被呼者の位置情報を含む場合、呼応答を受信し、その呼応答に応答するページング応答受信ユニットとを備えていても良い。
【００１２】
上記の目的を達成するために、本発明で提案されるＵＥは、無線信号を受信または送信するＲＦユニットと、ＲＦユニットによって受信される無線信号、および、ＲＦユニットから送信される信号を処理するデータ処理ユニットと、無線通信システムが、ＵＥの登録情報と位置情報、およびＵＥのＰ２Ｐ通信能力についての無線通信システムの情報に従って、ＵＥに直接通信リンクを割り当てた後に、割り当てられた直接通信リンクを介して直接通信するようにＲＦユニットとデータ処理ユニットを制御するベースバンド処理ユニットとを備える。
【００１３】
本発明で提案されるＵＥはさらに、ＵＥが発呼者として動作する場合、当該ＵＥの位置情報を含む呼要求を無線通信システムに送信する発呼ユニットと、ＵＥが被呼者として動作する場合、ＵＥの位置情報を含む呼応答を無線通信システムに送信する応答ユニットとを備えていても良い。
【発明を実施するための最良の形態】
【００１４】
ＴＤＤ・ＣＤＭＡシステムで使用されるＰ２Ｐ通信方法を明確にするために、初めにＵＥの動作モードを再定義することが必要である。
【００１５】
従来のＴＤＤ・ＣＤＭＡシステムでは、ＩＤＬＥモードとＣＯＮＮＥＣＴモードという２つの異なる動作モードがＵＥに定義されていることはよく知られている。電源が投入された後、ＵＥは、ＲＲＣ（無線リソース制御）接続を確立する要求を送信するまではＩＤＬＥモードのままでいる。ＲＲＣ接続が確立されると、ＵＥは、ＣＯＮＮＥＣＴモードに入る。ＲＲＣ接続が解除または失敗すると、ＵＥは、ＣＯＮＮＥＣＴモードを離れてＩＤＬＥモードに戻る。
【００１６】
ＲＲＣ接続の独自性［entities］は、ＵＥとＵＴＲＡＮの両方を含む。しかしながら、Ｐ２Ｐ通信が可能とされている場合には、直接通信の独自性は、通信を行なうＵＥだけを含む。ＵＴＲＡＮとの専用リンクがない場合、ＵＥの動作モードは、ＩＤＬＥモードにもＣＯＮＮＥＣＴモードにも当てはまらず、この状況では、特定のモードが導入されるべきである。本発明では、この新しい動作モードを直接モードと称することができる。
【００１７】
Ｐ２Ｐ通信を可能にし、Ｐ２Ｐ通信を可能にする指示をＵＴＲＡＮに送信するために、ＵＥは、自身のＰ２Ｐ通信能力を示すモジュールを備えるべきである。図３は、このモジュールを有するＵＥの構造を示すブロック図である。同図に示すように、ＵＥは、ＲＦモジュール１０、ベースバンド・プロセッサ２０、データ処理モジュール３０、ＭＭＩ（マン・マシン・インタフェース）モジュール４０およびメモリ・モジュール５０を備える。ＲＦモジュールは、トランシーバ、変調器、および復調器から構成される。ＲＦユニットは独自のＲＦ搬送波を有する。トランシーバの入出力は、アンテナに結合され、トランシーバの出力は、復調器の入力に結合され、トランシーバの入力は、変調器の出力に結合される。ベースバンド・プロセッサは、他のモジュールを制御し、他のモジュールと通信することができる。ＭＭＩは、Ｐ２Ｐ通信能力インディケータ６０を含み、このインディケータは、例えばキーストロークやスイッチなどのハードウェアとして、またはソフトウェア（例えば設定メニュー中の項目）として実施されることができる。
【００１８】
図４を参照して、本発明で提案されるＴＤＤ・ＣＤＭＡシステムのＰ２Ｐ通信方法の詳細な説明を次のステップとして以下に述べる。
【００１９】
１．ＵＥ１またはＵＥ２がＩＤＬＥモードに入る（Ｓ１１）
ＵＥ１またはＵＥ２に電源が投入されると、そのＵＥ１またはＵＥ２は、まず公衆地上モバイル・ネットワーク（ＰＬＭＮ―Public Land Mobile Network―）を選択し、キャンプ・オンする［camp on―一時的に留まる・一時的に腰を落ち着ける―］のに適切なそのＰＬＭＮのセルを探す。
【００２０】
セルを検索する手順中に、ＵＥは、ダウンリンクの同期を確立し、システム情報ブロードキャスト・チャネルを読み取る。セルの検索後、ＵＥは、ＩＤＬＥモードに入り、ＩＤＬＥモードのままとなる。
【００２１】
２．ＵＥ１が呼要求を送信する（Ｓ１２）
ＵＥ１が同じセル内にあるＵＥ２と通信したい場合、ＵＥ１は、ＵＴＲＡＮに呼要求を送信して無線リソースを得ることにより、共通の制御チャネルを介してランダム・アクセス手順を開始するが、ここで、要求メッセージは、Ｐ２Ｐ通信の要件、ＵＥ１がＰ２Ｐ通信能力を有するか否かの表示、ならびに、ＵＥ１の場所についての位置情報を含むことができる。
【００２２】
ランダム・アクセス手順の後、ＵＥ１はＣＯＮＮＥＣＴモードに移り、すなわちＵＥ１とＵＴＲＡＮの間にシグナリング接続が確立される。
【００２３】
３．ＵＴＲＡＮがＵＥ２を呼び出す（Ｓ１３）
ＵＥ１からの呼要求を受信した後、ＵＴＲＡＮは、ページング制御チャネルを介してＵＥ２にページング・メッセージを送信する。
【００２４】
４．ＵＥ２がページング応答を送信する（Ｓ１４）
ＵＥ２は、ＩＤＬＥモードである時に、自身のＰＩＣＨ（ページング表示チャネル）とＰＣＨ（ページング・チャネル）を監視することができ、ＵＴＲＡＮからのページング・メッセージは一切見逃さない。ページング・メッセージを受信した後、ＵＥ２は、ページング応答を送信することによりＵＴＲＡＮに応答し、この応答メッセージは、ＵＥ２がＰ２Ｐ通信能力を有するか否かの表示と、ＵＥ２の場所についての位置情報を含むことができる。
【００２５】
ＵＴＲＡＮに応答した後、ＵＥ２もＣＯＮＮＥＣＴモードに入り、すなわち、ＵＥ２とＵＴＲＡＮの間にもシグナリング接続が確立される。
【００２６】
５．ＵＥ１とＵＥ２の距離がＰ２Ｐ通信の必要条件を満たすか否かを調べる（Ｓ１５）
初めに、ＵＴＲＡＮは、ＵＥ１とＵＥ２の登録情報と位置情報に従って、ＵＥ１とＵＥ２が同じセルにキャンプ・オンしているか否かを調べる。次いで、ＵＴＲＡＮは、ＵＥ１とＵＥ２の位置情報に従って、２つのＵＥ間の距離がＰ２Ｐ通信でサポートされる無線範囲内にあるか否かを計算する。
【００２７】
６．Ｐ２Ｐ通信でサポートされる無線範囲にない場合（Ｓ１９）
ＵＥ１とＵＥ２が同じセルにキャンプ・オンしていない場合、または計算の結果、ＵＥ１とＵＥ２の距離がＰ２Ｐ通信でサポートされる無線範囲外であることが分かった場合、ＵＴＲＡＮは、ＵＥ１とＵＥ２に従来の方式で通信するように指示する。
【００２８】
７．Ｐ２Ｐ通信でサポートされる無線範囲にある場合
２つのＵＥが同じセルにあり、２つのＵＥの間の距離がＰ２Ｐ通信でサポートされる範囲内である場合、ＵＴＲＡＮは、それらＵＥのＰ２Ｐ通信能力を示す情報があるか否かを調べ（Ｓ１６）、２つのＵＥがともにＰ２Ｐ通信能力を有するか否かをその情報に従って判定する（Ｓ２０）。
【００２９】
７．１  ＵＴＲＡＮが、２つのＵＥのＰ２Ｐ通信能力を示す情報を有し、その情報が両方のＵＥがＰ２Ｐ通信をサポートすることを示すものである場合、ＵＴＲＡＮは、従来の方式と同様の方法で無線リソース（例えばタイムスロットおよび拡散符号）として直接通信リンクを割り当て（直接通信リンクは２つのリンクを含み、１つのリンクは、ＵＥ１の送信とＵＥ２の受信のために使用され、もう１つのリンクは、ＵＥ１の受信とＵＥ２の送信のために使用される）、ＵＥ１とＵＥ２が直接通信モードに入ることを可能にする。直接通信モードでは、ＵＥ１とＵＥ２は、割り当てられた通信リンクを介して、設定された電力で情報を交換する（Ｓ２１）。
【００３０】
ＵＴＲＡＮ自体が、ＵＥがＰ２Ｐ通信能力を有するか否かについての記録情報を有していない場合、ＵＴＲＡＮは、ポーリングによりその情報を得ることができる。
【００３１】
７．２  ＵＴＲＡＮが、ＵＥがＰ２Ｐ通信能力を有するか否かを示す情報を有するが、ＵＥ１とＵＥ２のいずれか１つがＰ２Ｐ通信能力を有していない場合、ＵＴＲＡＮは、ＵＥ１とＵＥ２に従来の方式で通信するように指示する（Ｓ１９）。
【００３２】
７．３  ＵＴＲＡＮが、ＵＥがＰ２Ｐ通信能力を有するか否かを示す情報を有していない場合、ＵＴＲＡＮは、発呼者または被呼者にポーリング・メッセージを送信して、ＵＥがＰ２Ｐ通信能力を有するか否かを問い合わせる（Ｓ１７）。ＵＴＲＡＮからのポーリング・メッセージを受信すると、ＵＥ１またはＵＥ２は、自身の通信能力についての情報とともにＵＴＲＡＮに応答する。次いで、上記の７．１と７．２のステップが反復される。
【００３３】
ここで、ＵＥがＰ２Ｐ通信能力を有するか否かについての情報は、ＵＥのキーストロークまたはスイッチによって設定されることができるか、またはＵＥのソフトウェア（例えば、設定メニュー中の項目）によって決定されることができることは、さらに留意されるべきである。そして、Ｐ２Ｐ能力を示す情報は、呼要求または呼応答でＵＴＲＡＮに送信されることができる。
【００３４】
図４と関連する前述のＰ２Ｐ通信方法は、プロトコル・メッセージを追加するために既存のプロトコル・メッセージに変更を加えることによりソフトウェアで、またはハードウェアで、またはソフトウェアとハードウェアの組み合わせで実施されることができる。上記のＰ２Ｐ通信方法がハードウェアで実施される場合、ＵＴＲＡＮ内のＰ２Ｐ通信のための装置およびＵＥ内の装置は、それぞれ以下のように構成される。
【００３５】
Ｐ２Ｐ通信手順を実施する際、ＵＴＲＡＮ内のＰ２Ｐ通信の装置は、発呼者からＵＴＲＡＮに送信される呼要求が発呼者の位置情報を含む場合、呼要求を受信し、その呼要求に応答する呼要求応答ユニットと、被呼者からＵＴＲＡＮに送信される呼応答が被呼者の位置情報を含む場合、呼応答を受信し、その呼応答に応答するページング応答受信ユニットと、発呼者と被呼者の登録情報と位置情報に従って、２つのＵＥ（発呼者と被呼者）が同じセルにあるか否かを判定し、２つのＵＥ間の距離がＰ２Ｐ通信の範囲要件を満たすか否かを計算する計算ユニットと、２つのＵＥが同じセルにあり、それらの間の距離がＰ２Ｐ通信の要件を満たす場合、発呼者と被呼者の両方がＰ２Ｐ通信能力を有するか否かを示すＵＴＲＡＮの情報に従って、２つのＵＥがともにＰ２Ｐ通信能力を有するか否かを判定する判定ユニットと、発呼者と被呼者の両方がＰ２Ｐ通信能力を有する場合、２つのＵＥがＰ２Ｐ通信を行なうための直接通信リンクを割り当てる割り当てユニットとを備える。さらに、Ｐ２Ｐ通信のための装置は、発呼者と被呼者がＰ２Ｐ通信能力を有するか否かを示す情報をＵＴＲＡＮが有していない場合、ＵＥがＰ２Ｐ通信能力を有するか否かを問い合わせるポーリング・メッセージを発呼者または被呼者に送信するポーリング・メッセージ送信ユニットと、２つのＵＥが同じセルにないか、２つのＵＥ間の距離がＰ２Ｐ通信の範囲要件を満たさないか、２つのＵＥの１つがＰ２Ｐ通信能力を有していない場合、２つのＵＥに従来の方式で通信させる指示を送信する指示送信ユニットも含むことができる。
【００３６】
Ｐ２Ｐ通信手順の実施の際、ＵＥは、ＵＥが発呼者として動作する場合、当該ＵＥの位置情報を含む呼要求をＵＴＲＡＮに送信する発呼ユニットと、ＵＥが被呼者として動作する場合、当該ＵＥの位置情報を含む呼応答をＵＴＲＡＮに送信する応答ユニットと、無線信号を受信または送信するＲＦユニットと、ＲＦユニットによって受信される無線信号、および、ＲＦユニットから送信される信号を処理するデータ処理ユニットと、ＵＴＲＡＮが、ＵＥの登録情報と位置情報、およびＵＥのＰ２Ｐ通信能力についてのＵＴＲＡＮの情報に従って、当該ＵＥに直接通信リンクを割り当てた後に割り当てられた直接通信リンクを介して直接通信するようにＲＦユニットとデータ処理ユニットを制御するベースバンド処理ユニットとを備える。さらに、ＵＥは、ＵＥがＰ２Ｐ通信能力を有するか否かを問い合わせるため、ＵＴＲＡＮから送信されたポーリング・メッセージを受信すると、ＵＥがＰ２Ｐ通信能力を有するか否かを示すメッセージを送信するポーリング・メッセージ応答ユニットと、ＵＥがＰ２Ｐ通信能力を有するか否かを示す、ＵＥのキーストロークまたはスイッチあるいはＵＥの設定メニューの一項目である能力指示手段と含むことができる。
【００３７】
［本発明の有益な使用］
上記のように、本発明によって提案されるＴＤＤ・ＣＤＭＡシステムで使用されるＰ２Ｐ通信方法および装置は、従来の通信モードと比べて、相互と非常に近い２つのＵＥ間の通信に要する無線リソースを約５０％節減することができる。また、本発明の実施は、既存の通信システムの上位層のソフトウェア・モジュールへの変更のみを要するため、既存の通信システムのハードウェア・モジュールを大いに再使用する。
【００３８】
一方で、Ｐ２Ｐ通信の際、ＵＥとＵＴＲＡＮの間には制御リンクがなお存在する。そのため、ＵＴＲＡＮは、Ｐ２Ｐ通信、特に無線リソースの使用に対する制御を保つことができ、ネットワーク事業者は、Ｐ２Ｐ通信で使用される無線リソースに対して容易に課金することができる。
【図面の簡単な説明】
【００３９】
【図１】従来の通信モードを用いるＴＤＤ・ＣＤＭＡシステムを説明する概略図。
【図２】Ｐ２Ｐ通信モードを用いるＴＤＤ・ＣＤＭＡシステムを説明する概略図。
【図３】Ｐ２Ｐ通信モードを用いるＵＥの構造の説明図。
【図４】Ｐ２Ｐ通信モードを用いるＴＤＤ・ＣＤＭＡシステムのフローチャート。
【図１】
2006523404.tif 000003
【図２】
2006523404.tif 000004
【図３】
2006523404.tif 000005
【図４】
2006523404.tif 000006
【国際調査報告】
2006523404.tif 000007
2006523404.tif 000008
2006523404.tif 000009